(57)【要約】【課題】電池ユニットの未接続時には、主回路の開閉器の閉路操作を不可とするインターロック装置を提供する。【解決手段】箱体６と、箱体６に多段積みされた電池ユニット１と、電池ユニット１を直列接続した直流回路に接続された開閉器２と、開閉器２の閉路操作を行う閉路コイルに直列接続されたインターロックスイッチ４とを備え、電池ユニット１が接続位置のときインターロックスイッチ４が閉路して開閉器２を閉路させることができ、電池ユニット１を引出すと開路し、開閉器２の閉路操作を不可とすることを特徴とする。【選択図】  図２
2013218893.tif 000002
【特許請求の範囲】
【請求項１】
箱体と、
前記箱体に多段積みされた電池ユニットと、
前記電池ユニットを直列接続した直流回路に接続された開閉器と、
前記開閉器の閉路コイルに直列接続されたインターロックスイッチとを備え、
前記電池ユニットが接続位置のとき前記インターロックスイッチが閉路することを特徴とする電池ユニット盤のインターロック装置。
【請求項２】
前記箱体の正面板、背面板に、これを取外すと開路するドアスイッチを設け、前記インターロックスイッチと直列接続したことを特徴とする請求項１に記載の電池ユニット盤のインターロック装置。
【請求項３】
箱体と、
前記箱体に多段積みされた電池ユニットと、
前記電池ユニットを直列接続した直流回路に接続された開閉器と、
前記電池ユニットの主回路となる電池側端子と、
前記電池側端子と接離する前記直流回路に接続された導体側端子と、
前記電池ユニットの制御回路となる電池側コネクタと、
前記電池側コネクタと接離する制御側コネクタとを備え、
前記電池ユニットの接続時には、前記制御回路よりも前記主回路が先に接触し、
前記電池ユニットの引出し時には、前記主回路よりも前記制御回路が先に開離することを特徴と電池ユニット盤のインターロック装置。
【請求項４】
前記電池側端子と前記導体側端子、および前記電池側コネクタと前記制御側コネクタとが接離する方向を同一方向とし、
前記電池側端子と前記導体側端子とが接触して摺動する距離を、前記電池側コネクタと前記制御側コネクタとが接触して摺動する距離よりも長くしたことを特徴とする請求項３に記載の電池ユニット盤のインターロック装置。
【請求項５】
前記電池ユニットの底面に前記電池側コネクタを設け、
前記箱体側に前記制御側コネクタを設け、
前記電池ユニットが接続位置のとき、前記電池側コネクタを前記制御側コネクタに接離することができることを特徴とする請求項３に記載の電池ユニット盤のインターロック装置。
【発明の詳細な説明】
【技術分野】
【０００１】
本発明の実施形態は、電池ユニットによる直流回路を開閉する開閉器を備えた電池ユニット盤のインターロック装置に関する。
【背景技術】
【０００２】
従来、複数個の電池セルを直並列接続した電池ユニット（電池モジュール）を収納した電池ユニット盤には、直流回路を開閉する開閉器が接続されている（例えば、特許文献１参照）。
【０００３】
このような電池ユニット盤の点検時には、開閉器を開路し、正面板や背面板などを取外して多段積みされた電池ユニットの変色や損傷などが検査される。点検後、交換が必要となったものにおいては、直流回路から当該電池ユニットを取外し、交換が行われる。しかしながら、開閉器を開路しなくても、電池ユニットを取外すことができるものがある。このため、開閉器と電池ユニットとの間のインターロック装置が望まれていた。
【先行技術文献】
【特許文献】
【０００４】
【特許文献１】特開２００９−１０４８０８号公報
【発明の概要】
【発明が解決しようとする課題】
【０００５】
本発明が解決しようとする課題は、電池ユニットの未接続時には開閉器の閉路操作を不可とし、取外し時には開閉器が開路し、直流回路の充電時には電池ユニットを接続、または取外しすることができないような電池ユニット盤のインターロック装置を提供することにある。
【課題を解決するための手段】
【０００６】
上記課題を解決するために、実施形態の電池ユニット盤のインターロック装置は、箱体と、前記箱体に多段積みされた電池ユニットと、前記電池ユニットを直列接続した直流回路に接続された開閉器と、前記開閉器の閉路コイルに直列接続されたインターロックスイッチとを備え、前記電池ユニットが接続位置のとき前記インターロックスイッチが閉路することを特徴とする。
【図面の簡単な説明】
【０００７】
【図１】本発明の実施例１に係る電池ユニット盤の電気回路を示す図。
【図２】本発明の実施例１に係る電池ユニット盤のインターロック装置の構成を示す側面図。
【図３】本発明の実施例２に係る電池ユニット盤のインターロック装置の構成を示す側面図。
【図４】本発明の実施例２に係る電池ユニット盤のインターロック装置の動作を説明する図。
【図５】本発明の実施例３に係る電池ユニット盤のインターロック装置の構成を示す要部拡大側面図。
【発明を実施するための形態】
【０００８】
以下、図面を参照して本発明の実施例を説明する。
【実施例１】
【０００９】
先ず、本発明の実施例１に係る電池ユニット盤のインターロック装置を図１、図２を参照して説明する。図１は、本発明の実施例１に係る電池ユニット盤の電気回路を示す図、図２は、本発明の実施例１に係る電池ユニット盤のインターロック装置の構成を示す側面図である。
【００１０】
図１に示すように、複数個を直列接続した電池ユニット１の直流回路には、開閉器２が接続されている。電池ユニット１には、複数個の電池セルが直並列接続されている。開閉器２には、閉路コイル３が設けられ、それぞれの電池ユニット１の接続位置に設けられたインターロックスイッチ４を介して制御回路に接続されている。開路コイル５は、直接、制御回路に接続されている。
【００１１】
電池ユニット１は、図２に示すように、箱体６内に設けられた複数段の棚板７にそれぞれ載置されている。多段積みされた電池ユニット１は、接続導体８で接続され、開閉器２に接続されている。棚板７端部には、電池ユニット１の接続位置で閉路するインターロックスイッチ４が設けられている。電池ユニット１側には電池側端子９が設けられ、接続導体８側には電池側端子９と接離する導体側端子１０が設けられている。図示上二段は、接続位置を示し、下二段は、断路位置を示す。箱体６には、着脱自在の正面板１１、背面板１２が設けられている。
【００１２】
これにより、各段の電池ユニット１の全てを接続位置とし、インターロックスイッチ４を閉路にしなければ開閉器２の閉路状態を保つことができないものとなる。電池ユニット１を正面側に引出して取外すと、開閉器２は開路する。開路コイル５による開路操作は、インターロックスイッチ４に影響を受けず、優先的に操作することができる。なお、正面板１１や背面板１２にドアスイッチを取付け、インターロックスイッチ４と直列接続すれば、これらの板１１、１２を取外したときにも開閉器２を開路させることができる。
【００１３】
上記実施例１の電池ユニット盤のインターロック装置によれば、各段の電池ユニット１に接続位置で閉路するインターロックスイッチ４を設けているので、全ての電池ユニット１を接続位置にしたとき、開閉器２を閉路操作することができる。また、いずれかの電池ユニット１を引出すと開閉器２が開路するので、直流回路が充電された状態での点検作業を防止することができる。
【００１４】
上記実施例１では、電池ユニット１の位置での開閉器２の開閉制限を説明したが、開閉器２の二次側から給電を受けた表示装置や警報装置などで、電池ユニット１の位置表示や引出したときに警報信号を発するようにすることができる。
【実施例２】
【００１５】
次に、本発明の実施例２に係る電池ユニット盤のインターロック装置を図３、図４を参照して説明する。図３は、本発明の実施例２に係る電池ユニット盤のインターロック装置の構成を示す側面図、図４は、本発明の実施例２に係る電池ユニット盤のインターロック装置の動作を説明する図である。なお、この実施例２が実施例１と異なる点は、制御回路を考慮したことである。図３において、実施例１と同様の構成部分においては、同一符号を付し、その詳細な説明を省略する。
【００１６】
図３に示すように、電池ユニット１には電池側コネクタ１３を設け、制御回路には電池側コネクタ１３と接離する制御側コネクタ１４を設けている。即ち、電池側端子９と導体側端子１０の接離方向と同一方向に電池側コネクタ１３と制御側コネクタ１４を設け、電池ユニット１の挿入、引出しにより接離するようにしている。制御回路では、開閉器２の開閉操作のほかに、電池ユニット１の電圧や電流などの計測も行われる。
【００１７】
ここで、直流主回路の電池側端子９は棒状とし、導体側端子１０と接触したときの摺動距離を増大させている。電池側コネクタ１３と制御側コネクタ１４は、主回路よりも接触したときの摺動距離を短くしている。これらの接離するタイミングは、後述する。なお、図示最上段では主回路、制御回路とも接続位置、その下段が移動中であり主回路が接続し制御回路が断路中、その下段が主回路、制御回路とも断路位置、最下段が接続位置を示している。
【００１８】
次に、主回路と制御回路の接離のタイミングを図４を参照して説明する。
【００１９】
電池ユニット１を挿入する接続時においては、先ず、時間ｔ１に、主回路の電池側端子９と導体側端子１０が接触し、数秒後の所定時間経過後の時間ｔ２に、制御回路の電池側コネクタ１３と制御側コネクタ１４が接触するようになっている。引出し時においては、接続時とは逆に、先ず、制御回路が開離し、所定時間経過後に、主回路が開離するようになっている。
【００２０】
これにより、接続時においては、主回路を接続しなければ、開閉器２を含む制御回路を制御することができず、電池ユニット１の未接続での開閉器２の操作を防止することができる。また、電圧、電流などの測定を確実に行うことができる。未接続では、電圧などが測定できず、機器の故障か否かが判定できない。引出し時においては、制御回路が最初に開離するので、開閉器２が閉路であっても、直ちに開路させることができる。
【００２１】
上記実施例２の電池ユニット盤のインターロック装置によれば、電池ユニット１の接続時には制御回路よりも主回路を先に接触させ、引出し時には主回路よりも制御回路を先に開離させるようにしているので、電池ユニット１の未接続時での開閉器２の空閉路操作、主回路の充電状態時での電池ユニット１の取外し作業を防止することができる。
【実施例３】
【００２２】
次に、本発明の実施例３に係る電池ユニット盤のインターロック装置を図５を参照して説明する。図５は、本発明の実施例３に係る電池ユニット盤のインターロック装置の構成を示す要部拡大側面図である。なお、この実施例３が実施例２と異なる点は、電池側、制御側コネクタの取付位置である。図５において、実施例２と同様の構成部分においては、同一符号を付し、その詳細な説明を省略する。
【００２３】
図５に示すように、正面側となる電池ユニット１の底部に移動自在の電池側コネクタ１５を設け、棚板７側に、接続位置で電池側コネクタ１５を接離することができる制御側コネクタ１６を設けている。即ち、電池ユニット１を接続位置にしなければ、制御回路を接続することができないようにしている。
【００２４】
上記実施例３の電池ユニット盤のインターロック装置によれば、実施例２による効果のほかに、電池側コネクタ１５で電池ユニット１の接続位置を固定することができる。
【００２５】
以上述べたような実施形態によれば、電池ユニットの主回路未接続時では、開閉器の閉路操作を不可とし、電池ユニットの取出し時では、開閉器を開路させるインターロック装置とすることができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１  電池ユニット
２  開閉器
３  閉路コイル
４  インターロックスイッチ
５  開路コイル
６  箱体
７  棚板
８  接続導体
９  電池側端子
１０  導体側端子
１１  正面板
１２  背面板
１３、１５  電池側コネクタ
１４、１６  制御側コネクタ
【図１】
2013218893.tif 000003
【図２】
2013218893.tif 000004
【図３】
2013218893.tif 000005
【図４】
2013218893.tif 000006
【図５】
2013218893.tif 000007